(57)【要約】【課題】使用者の脚と足とをマッサージすることができるとともに、マッサージしていない場合において保持される使用者の脚への違和感を抑制することができるマッサージ機を提供する。【解決手段】オットマン１２は、座部１３前端側に配置される脚保持部材３０と、使用者の足側に配置される足保持部材２０とから少なくとも構成され、それら各部材２０，３０は、それぞれ表裏に回動する。特に、足保持部材２０には、その表裏の一方には使用者の足をマッサージするための足マッサージ手段が配設されたマッサージ面２２が、他方には脚置き面２３がそれぞれ形成される。脚保持部材３０には、その表裏の一方には使用者の脚をマッサージするための脚マッサージ手段が配設されたマッサージ面３２が、他方には脚置き面３３が、それぞれ形成されている。【選択図】図１
2013066506.tif 000002
【特許請求の範囲】
【請求項１】
座部前端にオットマンが延設してなる椅子型のマッサージ機において、
前記オットマンは、前記座部前端側に配置される脚保持部材と、使用者の足側に配置される足保持部材とから少なくとも構成され、
前記足保持部材及び前記脚保持部材は、それぞれ表裏に回動し、
前記足保持部材には、その表裏の一方には使用者の足をマッサージするための足マッサージ手段が配設され、他方には第１脚置き面が形成され、
前記脚保持部材には、その表裏の一方には使用者の脚をマッサージするための脚マッサージ手段が配設され、他方には第２脚置き面が形成されたことを特徴とするマッサージ機。
【請求項２】
前記足保持部材と前記脚保持部材とは、相互に独立して回動することを特徴とする請求項１に記載のマッサージ機。
【請求項３】
前記足マッサージ手段が使用者の足に面するように前記足保持部材が位置する状態で、該足保持部材を前記座部側に付勢する第１付勢手段を設けたことを特徴とする請求項１に記載のマッサージ機。
【請求項４】
前記脚保持部材を前記座部側に付勢する第２付勢手段を設けたことを特徴とする請求項１に記載のマッサージ機。
【請求項５】
各脚置き面が使用者の脚に面する位置に前記足保持部材及び前記脚保持部材を停止させる回動停止手段を設けたことを特徴とする請求項１に記載のマッサージ機。
【請求項６】
前記足保持部材は、該足保持部材の中心部よりも踵側を中心に回動し、
前記脚保持部材は、前記脚マッサージ手段が使用者の脚に面する位置に配置された状態で、該脚保持部材の中心部よりも使用者の足側を中心に回動することを特徴とする請求項１に記載のマッサージ機。
【請求項７】
前記足保持部材は、該足保持部材の中心部よりも踵側を中心に回動し、
前記脚保持部材は、該脚保持部材の中心部を中心に回動することを特徴とする請求項１に記載のマッサージ機。
【発明の詳細な説明】
【技術分野】
【０００１】
本発明は、座部に着座する使用者に対してマッサージを行う椅子型のマッサージ機に係り、詳しくは、座部前端に使用者の脚をマッサージするためのオットマンが延設されているマッサージ機に関する。
【背景技術】
【０００２】
従来、この種のマッサージ機として、例えば特許文献１に記載のマッサージ機が提案されている。このマッサージ機は、使用者が着座する座部と、該座部に着座した使用者の脚を保持するためのオットマンとを備えている。このオットマンには、使用者の脚を保持するための脚保持部材と、使用者の足を保持するための足保持部材とが設けられており、各保持部材のそれぞれにマッサージ手段が設けられることによって、使用者の脚の広範囲を施術することができる。
【先行技術文献】
【特許文献】
【０００３】
【特許文献１】特開２００２−２３８９６３号公報
【発明の概要】
【発明が解決しようとする課題】
【０００４】
しかしながら、このような構成では、使用者の脚をマッサージする機能を使用している場合はよいが、使用していない場合でも、使用者の脚をマッサージ手段に載置せざるを得なくなり、使用者の脚に違和感を与えてしまうことがあるという問題があった。
【０００５】
本発明は、このような事情に鑑みてなされたものであり、その目的は、使用者の脚と足とをマッサージすることができるとともに、マッサージしていない場合において保持される使用者の脚への違和感を抑制することができるマッサージ機を提供することにある。
【課題を解決するための手段】
【０００６】
上記目的を達成するために、本発明のマッサージ機は、座部前端にオットマンが延設してなる椅子型のマッサージ機において、前記オットマンは、前記座部前端側に配置される脚保持部材と、使用者の足側に配置される足保持部材とから少なくとも構成され、前記足保持部材及び前記脚保持部材は、それぞれ表裏に回動し、前記足保持部材には、その表裏の一方には使用者の足をマッサージするための足マッサージ手段が配設され、他方には第１脚置き面が形成され、前記脚保持部材には、その表裏の一方には使用者の脚をマッサージするための脚マッサージ手段が配設され、他方には第２脚置き面が形成されたことを要旨とする。
【０００７】
本発明のマッサージ機において、前記足保持部材と前記脚保持部材とは、相互に独立して回動することが好ましい。
本発明のマッサージ機において、前記足マッサージ手段が使用者の足に面するように前記足保持部材が位置する状態で、該足保持部材を前記座部側に付勢する第１付勢手段を設けたことが好ましい。
【０００８】
本発明のマッサージ機において、前記脚保持部材を前記座部側に付勢する第２付勢手段を設けたことが好ましい。
本発明のマッサージ機において、各脚置き面が使用者の脚に面する位置に前記足保持部材及び前記脚保持部材を停止させる回動停止手段を設けたことが好ましい。
【０００９】
本発明のマッサージ機において、前記足保持部材は、該足保持部材の中心部よりも踵側を中心に回動し、前記脚保持部材は、前記脚マッサージ手段が使用者の脚に面する位置に配置された状態で、該脚保持部材の中心部よりも使用者の足側を中心に回動することが好ましい。
【００１０】
本発明のマッサージ機において、前記足保持部材は、該足保持部材の中心部よりも踵側を中心に回動し、前記脚保持部材は、該脚保持部材の中心部を中心に回動することが好ましい。
【発明の効果】
【００１１】
本発明によれば、使用者の脚と足とをマッサージすることができるとともに、マッサージしていない場合において保持される使用者の脚への違和感を抑制することができる。
【図面の簡単な説明】
【００１２】
【図１】（ａ）及び（ｂ）は、第１実施形態におけるマッサージ機の概略構成を説明するための側面図である。
【図２】（ａ）及び（ｂ）は、第１実施形態におけるマッサージ機の概略構成を説明するための正面図である。
【図３】（ａ）及び（ｂ）は、第１実施形態におけるマッサージ機のロック機構を説明するための上面図である。
【図４】（ａ）及び（ｂ）は、第２実施形態におけるマッサージ機の概略構成を説明するための側面図である。
【図５】（ａ）及び（ｂ）は、第３実施形態におけるマッサージ機の概略構成を説明するための側面図である。
【図６】（ａ）及び（ｂ）は、第３実施形態におけるマッサージ機の概略構成を説明するための正面図である。
【発明を実施するための形態】
【００１３】
（第１実施形態）
以下、本発明を具体化した椅子型のマッサージ機（以下、単に「マッサージ機」という。）を示す第１実施形態を図１〜図３に従って説明する。なお、以下における本明細書中の説明において、「前後方向」とはマッサージ機に着座した使用者を基準とした方向に該当する方向である。また、「幅方向」とは使用者の左右方向に該当する方向であり、「上下方向」とはマッサージ機が設置される設置面と直交する方向に該当する方向であるものとする。
【００１４】
図１に示すように、本実施形態のマッサージ機１０は、使用者の体幹を保持するためのマッサージ椅子本体１１と、使用者の脚を保持するためのオットマン１２とから構成されている。また、マッサージ機１０には、マッサージ椅子本体１１やオットマン１２内に埋設された施療子、エアバッグなどの施術機構（図示略）と、該施術機構を制御する制御装置（図示略）と、使用者が操作するコントローラ（図示略）となどが設けられている。なお、図１（ａ）は、オットマン１２が施術で使用可能な施術状態となっている構成を示し、図１（ｂ）は、オットマン１２が使用者の脚を保持するための保持状態となっている構成を示す。
【００１５】
マッサージ椅子本体１１は、上面が使用者の臀部を保持する着座面１３ａとして機能し、使用者が着座するための座部１３が設けられている。この座部１３の後側には、座部１３に着座する使用者の背中を保持するための背もたれ部１４が座部１３に対して回動可能な状態で設けられている。こうした座部１３の着座面１３ａの下側には、マッサージ椅子本体１１の前方における開口（図示略）を介してオットマン１２を収納するための収納空間１５が設けられている。
【００１６】
また、マッサージ椅子本体１１の座部１３の前端には、オットマン１２を支持するための支持枠１６が上下方向、幅方向及び前後方向に延伸するように配設されている。この支持枠１６の下端には、前方に向かって延伸し、その先端でオットマン１２の足保持部材２０を回動可能に軸支する回動支持部１６ａが形成されている。また、この支持枠１６の上下方向中央には、前方に向かって延伸し、その先端でオットマン１２の脚保持部材３０を吊り下げるように回動可能に軸支する回動支持部１６ｂが形成されている。更に、この支持枠１６の上端には、ロック機構４０が設置部される設置部１６ｃが形成されている。
【００１７】
図１及び図２に示すように、オットマン１２は、マッサージ椅子本体１１の座部１３の前端に延設してなる。このオットマン１２は、使用者の足をマッサージ（施術）するための足保持部材２０と、使用者の脚（特に下腿部）を施術するための脚保持部材３０とを含むように構成されている。なお、図２（ａ）は、オットマン１２が施術状態となっている構成を示し、図２（ｂ）は、オットマン１２が保持状態となっている構成を示す。また、ここでの「脚」は足首から元の部分を意味し、「足」は足首から先の部分を意味し、特に、ここでの「下腿部」は膝から足首までの部分を意味する。
【００１８】
足保持部材２０は、脚保持部材３０よりも使用者の足側に配設されており、座部１３の幅方向に沿って延びる回動軸２１を中心として表裏に回動可能に支持されている。なお、本実施形態においては、足保持部材２０と脚保持部材３０とは、相互に独立して回動することとなる。足保持部材２０は、その一方の面が、使用者の足を施術するためのマッサージ面２２として、その他方の面が、使用者の脚や足を保持するための脚置き面２３（第１脚置き面）として、それぞれ形成されている。
【００１９】
この回動軸２１は、マッサージ機１０の幅方向に延伸しており、足保持部材２０が回動可能なように支持枠１６の回動支持部１６ａに軸着されている。この回動軸２１は、図１（ａ）に示すように、マッサージ面２２が上方に向く場合に、足保持部材２０の中心部よりも使用者の踵側に設けられており、本実施形態においては特に足保持部材２０の踵側の端部に設けられている。なお、本実施形態において、支持枠１６における回動支持部１６ａや回動軸２１が足保持部材２０の回動機構として機能する。
【００２０】
図１（ａ）及び図２（ａ）に示すように、凹凸形状であるマッサージ面２２には側壁２２ａが形成されており、その側壁２２ａには使用者の足の側方から施術するためのエアバック２２ｃが埋設されている。また、マッサージ面２２における側壁２２ａ間の溝底面２２ｂには、使用者の足を載置した場合に使用者の足裏を施術するための施療子２２ｄが埋設されている。なお、本実施形態において、これら施療子２２ｄやエアバック２２ｃが使用者の足を施術する足マッサージ手段に相当する。また、これら施療子２２ｄやエアバック２２ｃは、図２（ａ）のみに表す。
【００２１】
その一方で、脚置き面２３は、図１（ｂ）及び図２（ｂ）に示すように、使用者の脚や足を保持するために略平面形状であり、足マッサージ手段が設けられていない。なお、本実施形態において、この脚置き面２３には、使用者の脚の長さにより、使用者の脚を保持する場合と使用者の足を保持する場合とがある。
【００２２】
また、足保持部材２０には、その回動角度を規制するために、その回動を停止させる回動停止手段としての回動停止部材２４ａ，２４ｂが形成されている。図１（ｂ）及び図２（ｂ）に示すように、回動停止部材２４ａは、支持枠１６と当接することにより、使用者の脚や足を保持するための保持状態となる第１位置に足保持部材２０を停止させるための部材である。この保持状態では、脚置き面２３が前方に向かい、更にはマッサージ面２２における側壁２２ａが収納空間１５に収納されるように足保持部材２０が停止することとなる。その一方で、図１（ａ）及び図２（ａ）に示すように、回動停止部材２４ｂは、支持枠１６と当接することにより、使用者の足を施術するための施術状態となる第２位置に足保持部材２０を停止させるための部材である。この施術状態では、マッサージ面２２が上方に向かって足保持部材２０が停止することとなる。このため、足保持部材２０は、第１位置と第２位置との間を、上方かつ前方に弧を描くように回動可能となり、それ以上の角度には回動できないように構成されている。
【００２３】
また、足保持部材２０には、第１付勢手段としての弾性部材２５が配設されている。本実施形態において、この弾性部材２５は、引っ張りばねであり、その一端となるフックが足保持部材２０に、その他端となるフックが支持枠１６に、それぞれ引っ掛けられている。図１（ａ）に示すように、弾性部材２５の付勢力により、足保持部材２０の使用者の足側が上方に向くように、座部１３側（矢印Ａに示す方向）に足保持部材２０が付勢されている。このため、足保持部材２０は、通常時においては、図１（ｂ）及び図２（ｂ）に示すように、弾性部材２５の付勢力により第１位置に配置される。その一方で、足保持部材２０は、図１（ａ）及び図２（ａ）に示すように、弾性部材２５の付勢力に対抗して使用者の足をマッサージ面２２に載置することにより第２位置に配置される。
【００２４】
脚保持部材３０は、足保持部材２０よりも座部１３側に配設されており、座部１３の幅方向に沿って延びる回動軸３１を中心として表裏に回動可能に支持されている。脚保持部材３０は、その一方の面が、使用者の脚を施術するためのマッサージ面３２として、その他方の面が、使用者の脚を保持するための脚置き面３３（第２脚置き面）として、それぞれ形成されている。
【００２５】
この回動軸３１は、マッサージ機１０の幅方向に延伸しており、脚保持部材３０が回動可能なように支持枠１６の回動支持部１６ｂに軸着されている。この回動軸３１は、図１（ａ）に示すように、マッサージ面３２が前方に向く場合に、脚保持部材３０の中心部よりも使用者の踵側（足側）に設けられており、本実施形態においては特に脚保持部材３０の使用者の踵側の端部に設けられている。なお、本実施形態において、支持枠１６における回動支持部１６ｂや回動軸３１が脚保持部材３０の回動機構として機能する。
【００２６】
図１（ａ）及び図２（ａ）に示すように、凹凸形状であるマッサージ面３２には側壁３２ａが形成されており、その側壁３２ａには使用者の脚の側方から施術するためのエアバック３２ｃが埋設されている。また、マッサージ面３２における側壁３２ａ間の溝底面３２ｂにも、使用者の脚を載置した場合に使用者の脚を裏側から施術するためのエアバック３２ｄが埋設されている。なお、本実施形態において、これらエアバック３２ｃ，３２ｄが使用者の脚を施術する脚マッサージ手段に相当する。また、これらエアバック３２ｃ，３２ｄは、図２（ａ）のみに表す。
【００２７】
その一方で、脚置き面３３は、図１（ｂ）及び図２（ｂ）に示すように、使用者の脚を保持するために略平面形状であり、脚マッサージ手段が設けられていない。
また、脚保持部材３０にも、その回動角度を規制するために、その回動を停止させる回動停止手段としての回動停止部材３４ａ，３４ｂが形成されている。図１（ｂ）及び図２（ｂ）に示すように、回動停止部材３４ａは、支持枠１６と当接することにより、使用者の脚を保持するための保持状態となる第３位置に脚保持部材３０を停止させるための部材である。この保持状態では、脚置き面３３が前方に向かい、更にはマッサージ面３２における側壁３２ａが収納空間１５に収納されるように脚保持部材３０が停止することとなる。その一方で、図１（ａ）及び図２（ａ）に示すように、回動停止部材３４ｂは、支持枠１６と当接することにより、使用者の脚を施術するための施術状態となる第４位置に脚保持部材３０を停止させるための部材である。この施術状態では、マッサージ面３２が前方に向かって脚保持部材３０が停止することとなる。このため、脚保持部材３０は、第３位置と第４位置との間を、前方に弧を描くように回動可能となり、それ以上の角度には回動できないように構成されている。
【００２８】
また、図１（ｂ）及び図２（ｂ）に示すように、足保持部材２０が第１位置に、脚保持部材３０が第３位置に、それぞれ配置されると、回動停止部材２４ａ，３４ａは、各脚置き面２３，３３がそれぞれ略平行に各部材２０，３０を停止させる。特に、各部材２０，３０が、着座面１３ａに着座した使用者の脚が延びる方向に連続するように並んで配置されることとなる。
【００２９】
また、脚保持部材３０には、第２付勢手段としての弾性部材３５が配設されている。本実施形態において、この弾性部材３５は、ねじりコイルばねであり、ばねのコイルに脚保持部材３０の回動軸３１の外周に沿って回動軸３１に設けられている。図１（ａ）に示すように、弾性部材３５は、一方のアームが脚保持部材３０に引っ掛けられ、他方のアームが支持枠１６に引っ掛けられる。このため、弾性部材３５は、その付勢力により、脚保持部材３０の使用者の足側が上方に向くように、座部１３側（矢印Ｂに示す方向）に脚保持部材３０が付勢されている。このため、脚保持部材３０は、通常時においては、図１（ｂ）及び図２（ｂ）に示すように、弾性部材３５の付勢力により第３位置に配置される。その一方で、脚保持部材３０は、図１（ａ）及び図２（ａ）に示すように、弾性部材３５の付勢力に対抗して使用者が操作することで第４位置に配置される。
【００３０】
また、この脚保持部材３０を第３位置にロック（固定）するためのロック機構４０が支持枠１６の設置部１６ｃに設置されている。ロック機構４０は、図３に示すように、ロック機構本体４１と、ロックピン４２と、ロック解除レバー４３と、嵌合部材４４とから構成されている。なお、図３（ａ）は、脚保持部材３０が第３位置にロックされたロック状態となっている構成を示し、図３（ｂ）は、脚保持部材３０のロックが解除されたアンロック状態となっている構成を示す。
【００３１】
ロック機構本体４１は、支持枠１６の設置部１６ｃに設置されている。ロックピン４２は、ロック機構本体４１から突出するように配設されており、脚保持部材３０を第３位置に固定するために嵌合部材４４に向かってスライドするように変位可能である。ロック解除レバー４３は、使用者等により操作可能なようにロック機構本体４１から露出して配設されている。このロック解除レバー４３は、ロックピン４２と一体に変位するように配設されている。嵌合部材４４は、脚保持部材３０と一体に配設され、その中心にロックピン４２のスライド方向と同じ方向に嵌合孔４４ａが形成されている。このため、この嵌合孔４４ａにロックピン４２が挿入されると、ロックピン４２の外周面と嵌合孔４４ａの内壁とが当接し、脚保持部材３０の回動をロックすることとなる。
【００３２】
（実施形態の作用）
次に本実施形態の作用について説明する。
まず、図１（ｂ）及び図２（ｂ）に示すように、足保持部材２０が保持状態である場合には、弾性部材２５の付勢力により、脚置き面２３が前方に向くように足保持部材２０が第１位置に配置されている。
【００３３】
また、脚保持部材３０が保持状態である場合には、ロック機構４０により第３位置にロックされることによって、弾性部材３５の付勢力に対抗して、脚置き面３３が前方に向くように脚保持部材３０が配置されている。具体的には、図３（ａ）に示すように、ロックピン４２が嵌合部材４４の嵌合孔４４ａに挿入されており、ロック機構４０により脚保持部材３０が第３位置にロックされる。
【００３４】
このように、足保持部材２０及び脚保持部材３０が保持状態である場合には、着座面１３ａに着座している使用者の脚又は足を略平面で保持することとなり、それぞれが使用者の脚が延びる方向に連設されている脚置き面２３，３３に面することとなる。
【００３５】
そして、ロック機構４０におけるロック解除レバー４３を操作することによって、図３（ｂ）に示すように、ロック解除レバー４３のスライド変位に伴って、ロックピン４２が嵌合部材４４の嵌合孔４４ａから脱することとなる。このような操作によって、図１（ａ）及び図２（ａ）に示すように、弾性部材３５の付勢力により、脚保持部材３０が上方に向かって跳ね上がるように回動し、マッサージ面３２が前方に向くように脚保持部材３０が第４位置に配置され、施術状態となる。
【００３６】
また、弾性部材２５の付勢力に対抗して、使用者の足で足保持部材２０を前方に回動させることによって、マッサージ面２２が上方に向くように足保持部材２０が第２位置に配置され、施術状態となる。また、足保持部材２０が施術状態である場合には、マッサージ面２２に使用者の足を載置することによって、弾性部材２５の付勢力に対抗して、マッサージ面２２が上方に向くように足保持部材２０の配置が維持される。更には、使用者の足裏にマッサージ面２２の溝底面２２ｂを押し付けることとなる。
【００３７】
このように、足保持部材２０が施術状態である場合には、着座面１３ａに着座している使用者の足がマッサージ面２２に面することとなる。そして、このマッサージ面２２における側壁２２ａでは、使用者の足を側方から施術するとともに、溝底面２２ｂでは、使用者の足を裏側から（使用者の足裏を）施術することができる。
【００３８】
また、脚保持部材３０が施術状態である場合には、着座面１３ａに着座している使用者の脚がマッサージ面３２に面することとなる。そして、このマッサージ面３２における側壁３２ａでは、使用者の脚を側方から施術するとともに、溝底面３２ｂでは、使用者の脚を裏側から施術することができる。
【００３９】
そして、足保持部材２０が施術状態である場合において、マッサージ面２２に使用者の足を載置しないときには、図１（ｂ）及び図２（ｂ）に示すように、弾性部材２５の付勢力により、足保持部材２０が上方に向かって跳ね上がるように回動する。そして、脚置き面２３が前方に向くように足保持部材２０が第１位置に配置され、保持状態となる。
【００４０】
また、脚保持部材３０が施術状態である場合には、弾性部材３５の付勢力に対抗して、使用者の操作で脚保持部材３０を下方に回動させる。このような操作によって、脚置き面３３が前方に向くように脚保持部材３０が第３位置に配置され、ロック機構４０によりロックされ、保持状態となる。
【００４１】
（実施形態の効果）
本実施形態では、以下に示す効果を得ることができる。
（１）表裏の一方にマッサージ面２２が、他方に脚置き面２３がそれぞれ形成された足保持部材２０と、表裏の一方にマッサージ面３２が、他方に脚置き面３３がそれぞれ形成された脚保持部材３０とから少なくともオットマン１２が構成された。このため、使用者の脚や足に各マッサージ手段が面するように足保持部材２０及び脚保持部材３０を配置することによって、使用者の脚と足とを施術することができる。更には、使用者の脚や足に各脚置き面が面するように足保持部材２０及び脚保持部材３０を配置することによって、使用者の脚を違和感なく保持することができる。
【００４２】
（２）また、スライドさせてから回動させる等の複雑な操作性がなく、足保持部材２０及び脚保持部材３０のそれぞれを所定の位置に回動させることのみによって、施術状態及び保持状態のいずれか一方に容易に切り替えることができる。
【００４３】
（３）また、足保持部材２０及び脚保持部材３０の一方の部材を回動させる場合よりも、両方の部材を異なる回動軸２１，３１を中心に回動させることで、足保持部材２０及び脚保持部材３０のそれぞれを回動させるための回動スペースが狭くなる。このため、各機能を容易に切り替えることができ、簡便であるとともに、オットマン１２の収納スペースを狭くすることもでき、省スペース化を図ることができる。このため、各機能を容易に切り替えることができ、簡便であるとともに、オットマン１２の収納スペースを狭くすることができ、省スペース化を図ることができる。これは、従来においては、足保持部材２０及び脚保持部材３０の両方を同じ回動軸で回動させていたが、本実施形態のように構成することによって、従来技術における課題が解決することとなる。
【００４４】
（４）また、足保持部材２０と脚保持部材３０とで使用者の脚を保持することができるため、足保持部材２０のみで使用者の脚を保持する構成よりも、足保持部材２０を小型化することができる。
【００４５】
（５）また、足保持部材２０及び脚保持部材３０が保持状態である場合、各脚置き面２３，３３が、略平行であり、使用者の脚が延びる方向に連設（並設）されるので、使用者の脚を違和感なく保持することができる。
【００４６】
（６）足保持部材２０と脚保持部材３０とが相互に独立して回動することができる。このため、足保持部材２０と脚保持部材３０とのいずれか一方を、使用者の脚又は足にマッサージ手段が面するように位置し、いずれか他方を、使用者の脚又は足に脚置き面が面するように位置することができる。
【００４７】
（７）足保持部材２０において、施術状態で足保持部材２０に使用者の足を載置することによって、弾性部材２５の付勢に対抗して、その位置を維持することができる。更には、使用者の足（足裏）に足マッサージ手段を付勢し、足マッサージ手段が使用者の足から離れないようにすることができる。その一方で、足保持部材２０に置いていた使用者の足を外すことによって、特別な操作を行うことなく、弾性部材２５の付勢により座部１３側に回動させることができる。
【００４８】
（８）脚保持部材３０において、保持状態ではロック機構４０のロックにより、弾性部材３５の付勢に対抗して、その位置を維持することができる。その一方で、ロック機構４０のロックが解除されることによって、弾性部材３５の付勢により座部１３側に回動させることができる。
【００４９】
（９）足保持部材２０及び脚保持部材３０において、各マッサージ面２２，３２が使用者の脚及び足に面する位置や、各脚置き面２３，３３が使用者の脚に面する位置にオットマンにおける各部材を停止させることができ、簡便である。
【００５０】
（１０）足保持部材２０をその中心部よりも踵側を中心に回動させることによって、足保持部材２０をその中心部を中心に回動するよりも、足保持部材２０の足マッサージ手段の設置面積を広くすることができ、施術効果の低減を抑制することができる。
【００５１】
（１１）また、施術状態で脚保持部材３０を使用者の足側を中心に回動することによって、中心部を中心に回動するよりも、脚保持部材３０の脚マッサージ手段の設置面積を広くすることができ、施術効果の低減を抑制することができる。更にまた、施術状態で脚保持部材３０の脚マッサージ手段をより一層上方に配置することができ、使用者の脚の上方側を十分に施術することができる。
【００５２】
（第２実施形態）
図４を参照して本発明の第２実施形態について説明する。
本実施形態のマッサージ機１０は、第１実施形態のマッサージ機１０の一部を変更したものとして構成されている。このため、以下では第１実施形態のマッサージ機１０と異なる点の詳細を説明し、同実施形態と共通する構成については同一の符号を付してその説明の一部または全部を省略する。
【００５３】
第１実施形態のマッサージ機１０では、足保持部材２０と脚保持部材３０とを、相互に独立して回動するように構成した。これに対して本実施形態のマッサージ機１００では、オットマン９１における足保持部材２０と脚保持部材３０とを、相互に連動して回動するように構成した。
【００５４】
図４に示すように、オットマン９１において、足保持部材２０と脚保持部材３０とを相互に連動して回動させるための連動機構５０が配設されている。この連動機構５０には、ワイヤー５１が含まれるように構成されており、このワイヤー５１は、その一部がワイヤーチューブ５２に覆われており、その両端が、足保持部材２０におけるストッパ５３と、脚保持部材３０におけるストッパ５４とに連結されている。なお、図４（ａ）は、オットマン１２が施術状態となっている構成を示し、図４（ｂ）は、オットマン１２が保持状態となっている構成を示す。
【００５５】
（実施形態の作用）
次に本実施形態の作用について説明する。
まず、図４（ａ）に示すように、足保持部材２０及び脚保持部材３０が施術状態である場合において、図４（ｂ）に示すように、使用者の操作により脚置き面３３が前方に向くように脚保持部材３０が第３位置まで回動され、保持状態となる。このような回動に伴って、脚保持部材３０におけるストッパ５４が上方に移動する。このため、足保持部材２０がワイヤー５１により引っ張られ、脚置き面２３が前方に向くように第１位置まで回動され、保持状態となる。
【００５６】
また、図４（ｂ）に示すように、足保持部材２０と脚保持部材３０とが保持状態である場合に、ロック解除レバー４３が操作されないときには、足保持部材２０も保持状態でロックされる。例えば、使用者の足等で足保持部材２０を施術状態に変位させるように試みても、足保持部材２０が第１位置でワイヤー５１により上方（座部１３側）に引っ張られ、回動することなく、保持状態に維持される。
【００５７】
その一方で、ロック解除レバー４３を操作することによって、図４（ａ）に示すように、弾性部材３５の付勢力により、脚保持部材３０が上方に向かって跳ね上がるように回動する。そして、マッサージ面３２が前方に向くように脚保持部材３０が第４位置に配置され、施術状態となる。このように脚保持部材３０が施術状態となると、使用者の足等の操作によりマッサージ面２２が上方に向くように足保持部材２０が第２位置に回動可能となる。
【００５８】
（実施形態の効果）
本実施形態のマッサージ機１０によれば、第１実施形態の（１）〜（５）、（７）〜（１２）の効果と同様の効果、および以下の（１２）の効果が得られる。
【００５９】
（１２）足保持部材２０と脚保持部材３０とは、相互に連動して回動することによって、一方の部材の状態に応じて他方の部材の回動状態が変化することとなり、簡便である。具体的な一例としては、脚保持部材３０が施術状態から保持状態となると、それに連動して足保持部材２０が施術状態から保持状態となる。また、脚保持部材３０が保持状態でロックされていると、それに連動して足保持部材２０が保持状態でロックされることとなる。その一方で、脚保持部材３０が保持状態から施術状態となると、それに連動して足保持部材２０のロックが解除され、足保持部材２０が保持状態から施術状態に変更可能となる。
【００６０】
（第３実施形態）
図５及び図６を参照して本発明の第３実施形態について説明する。
本実施形態のマッサージ機１０は、第１実施形態のマッサージ機１０の一部を変更したものとして構成されている。このため、以下では第１実施形態のマッサージ機１０と異なる点の詳細を説明し、同実施形態と共通する構成については同一の符号を付してその説明の一部または全部を省略する。
【００６１】
第１実施形態のマッサージ機１０では、脚保持部材３０を、その中心部よりも踵側を中心に回動するように構成した。これに対して本実施形態のマッサージ機１０１では、オットマン９２における脚保持部材７０を、その中心部を中心に回動するように構成した。
【００６２】
図５に示すように、オットマン９２における脚保持部材７０は、回動軸７１を中心に、マッサージ面７２が前方に向く施術状態と、脚置き面７３が前方に向く保持状態との間を回動可能である。この回動軸７１は、脚保持部材７０の中心部に設けられている。また、足保持部材６０は、回動軸６１を中心に、マッサージ面６２が前方に向く施術状態と、脚置き面６３が前方に向く保持状態との間を回動可能である。なお、図５（ａ）は、オットマン１２が施術状態となっている構成を示し、図５（ｂ）は、オットマン１２が保持状態となっている構成を示す。
【００６３】
また、本実施形態において、図５に示すように、足保持部材６０が保持状態である場合において、そのマッサージ面６２の溝底面６２ｂが側壁６２ａよりもつま先方向に突出するように突出部６６が足保持部材６０に形成されている。その一方で、図６（ｂ）に示すように、足保持部材６０及び脚保持部材７０が保持状態である場合において、そのマッサージ面７２の溝底面７２ｂには、足保持部材６０の突出部６６に対向するように切欠き部７６が形成されている。なお、図６（ａ）は、オットマン１２が施術状態となっている構成を示し、図６（ｂ）は、オットマン１２が保持状態となっている構成を示す。
【００６４】
（実施形態の作用）
次に本実施形態の作用について説明する。
まず、図５（ａ）及び図６（ａ）に示すように、足保持部材６０が施術状態である場合において、足保持部材６０のマッサージ面６２から使用者の足を外す。すると、これに伴い、図５（ｂ）及び図６（ｂ）に示すように、弾性部材７５の付勢力により、足保持部材６０が保持状態となる。
【００６５】
また、図５（ａ）及び図６（ａ）に示すように、脚保持部材７０が施術状態である場合に、図５（ｂ）及び図６（ｂ）に示すように、弾性部材７５の付勢力に対抗して使用者の操作等により脚保持部材７０を保持状態にする。この構成において、脚保持部材７０の回動軸７１が、脚保持部材７０の中心部に設けられている。このため、脚保持部材７０の中心部ではない位置を回動軸とする場合よりも、脚保持部材７０の中心部を回動軸７１とするほうが、小さい力で脚保持部材７０を回動させることができる。
【００６６】
また、図５（ｂ）及び図６（ｂ）に示すように、足保持部材６０及び脚保持部材７０が保持状態である場合、脚保持部材７０において突出部６６に対応するように切欠き部７６が形成されている。このため、足保持部材６０及び脚保持部材７０が当接することなく、各脚置き面６３，７３が略平行に連設されることとなる。
【００６７】
（実施形態の効果）
本実施形態のマッサージ機１０によれば、第１実施形態の（１）〜（９）の効果と同様の効果、および以下の（１３）及び（１４）の効果が得られる。
【００６８】
（１３）脚保持部材７０をその中心部を中心に回動することによって、脚保持部材７０を回動させる力を低減することができ、操作性の向上を図ることができる。
（１４）足保持部材６０及び脚保持部材７０が保持状態である場合において、突出部６６に対向する位置に切欠き部７６が形成されている。このため、足保持部材６０において、使用者の足裏を保持するスペースを十分に確保することができるとともに、その突出部６６が形成されていない箇所における省スペース化を図ることができる。また、脚保持部材７０において、切欠き部７６が形成されることによって、突出部６６を収納することができ、足保持部材６０及び脚保持部材７０が保持状態において略平行に連設可能となる。このため、使用者の脚を違和感なく保持することができる。また、切欠き部７６が形成されることによって、足保持部材６０及び脚保持部材７０が相互に干渉することなく、相互に独自の回動を行うことができる。
【００６９】
なお、本実施形態は以下のような別の実施形態に変更してもよい。
・第３実施形態では、足保持部材６０及び脚保持部材７０が保持状態である場合に、突出部６６に対向する位置に切欠き部７６が形成されたが、これに限らない。例えば、脚保持部材７０に切欠き部７６が形成されることなく、突出部６６が側壁７２ａと溝底面７２ｂとで覆われるように収納してもよい。つまり、足保持部材６０及び脚保持部材７０が保持状態である場合に、突出部６６に対向する位置に、突出部６６を収納する収納空間が形成されていれば好ましい。
【００７０】
・上記実施形態では、弾性部材２５，６５の付勢力により足保持部材２０，６０が保持状態となるように構成し、弾性部材３５，７５の付勢力により脚保持部材３０，７０が施術状態となるように構成したが、これに限らない。例えば、弾性部材２５，６５の付勢力により足保持部材２０，６０が施術状態となるように構成してもよい。また、例えば、弾性部材３５，７５の付勢力により脚保持部材３０，７０が保持状態となるように構成してもよい。
【００７１】
・上記実施形態では、脚保持部材３０，７０が施術状態であるときに回動をロックするようにロック機構を構成したが、これに限らず、例えば、脚保持部材３０，７０が保持状態であるときに回動をロックするようにロック機構を構成してもよい。
【００７２】
・上記実施形態では、ロックピン４２を嵌合部材４４の嵌合孔４４ａに嵌合させることによって、脚保持部材３０，７０の回動をロックしたが、これに限らず、例えば、制御されたアクチュエータを使用して、回動させても回動をロックさせてもよい。この場合、ロックピン４２や嵌合部材４４を用いなくてもよい。
【００７３】
・上記実施形態では、弾性部材２５，６５として引っ張りばねを設けて回動軸２１，６１を中心に足保持部材２０，６０を使用者の踵側に付勢するように構成したが、足保持部材２０，６０を付勢する構成はこれに限らない。更には、弾性部材３５，７５としてねじりコイルばねを設けて回動軸３１，７１を中心に脚保持部材３０，７０を座部１３側に付勢するように構成したが、脚保持部材３０，７０を付勢する構成はこれに限らない。
【００７４】
・上記実施形態では、脚保持部材３０，７０が上方に向かって回動するように、図１（ａ）における矢印Ｂに示す方向に弾性部材３５，７５により付勢させたが、これに限らない。例えば、脚保持部材３０，７０が下方に向かって回動するように、矢印Ｂとは逆方向に弾性部材３５，７５により付勢させてもよい。また、弾性部材２５，３５，６５，７５を備えることなく、足保持部材２０，６０や脚保持部材３０，７０を付勢させないように構成してもよい。
【００７５】
・上記実施形態では、特に言及していないが、足保持部材２０や脚保持部材３０に対して、回動停止部材２４ａ，２４ｂ，３４ａ，３４ｂを設けたが、これに限らない。例えば、制御されたアクチュエータを使用して、足保持部材２０や脚保持部材３０の回動を制御する構成であれば、回動停止部材２４ａ，２４ｂ，３４ａ，３４ｂを設けなくてもよい。
【００７６】
・上記実施形態では、特に言及していないが、支持枠１６自体をマッサージ椅子本体１１（座部１３）に対して傾斜させない構成としたが、これに限らず、例えば、支持枠１６自体をマッサージ椅子本体１１に対して傾斜させるように構成してもよい。また、例えば、マッサージ椅子本体１１における座部１３や背もたれ部１４を傾斜させるように構成し、その傾斜と連動して、又はその傾斜とは独立して、支持枠１６自体を傾斜させてもよい。このように構成することで、足保持部材２０，６０や脚保持部材３０，７０をマッサージ椅子本体１１に対して傾斜させることができ、使用者の脚の角度を変更することができ、更には着座する使用者自身の角度も変更することができる。
【００７７】
・上記実施形態では、各マッサージ面２２，３２，６２，７２を凹凸形状としたが、これに限らず、少なくともいずれかが凹凸形状ではなく、略平面形状であってもよい。
・上記実施形態では、特に言及していないが、足保持部材２０におけるマッサージ面２２に設けられるエアバッグの上面にヒーターを設けて使用者の足部に対して熱を付与する構成としてもよい。このような構成とすることで、使用者の足部を温めて足部の血行を良好とすることが可能となる。
【００７８】
・上記実施形態では、足保持部材２０，６０にエアバッグ及び施療子を設ける構成としたが、このエアバッグ及び施療子のいずれかを省略した構成を採用してもよい。また、上記実施形態では、脚保持部材３０，７０に施療子を設けず、エアバッグを設ける構成としたが、施療子を設ける構成を採用してもよく、その場合、エアバッグを設けない構成を採用してもよい。つまり、足保持部材２０，６０における足マッサージ手段、及び脚保持部材３０，７０における脚マッサージ手段はこれに限らず、所定のアクチュエータにて施術できればよい。
【００７９】
・上記実施形態では、特に言及していないが、座部１３や背もたれ部１４に施療子やエアバックを有するマッサージ機構を内蔵する構成としたが、マッサージ機構を省略した構成を採用してもよい。
【００８０】
次に、上記実施形態及び別例から把握できる技術的思想を以下に追記する。
（イ）  前記足保持部材と前記脚保持部材とは、相互に連動して回動することを特徴とする請求項１に記載のマッサージ機。
【００８１】
（ロ）  前記座面前端に、前記足保持部材と前記脚保持部材とを回動可能に支持する支持枠が設けられていることを特徴とする請求項１に記載のマッサージ機。
（ハ）  前記足保持部材には、前記足マッサージ手段が使用者の足に面するように前記足保持部材が位置する状態で、使用者の足裏を保持するために使用者のつま先方向に突出する突出部が形成され、前記脚保持部材には、前記第１脚置き面が使用者の脚に面するように前記足保持部材が位置し、前記第２脚置き面が使用者の脚に面するように前記脚保持部材が位置する状態で、前記突出部を収納する収納空間が形成されていることを特徴とする請求項１に記載のマッサージ機。
【符号の説明】
【００８２】
１０，１００，１０１…マッサージ機、１１…マッサージ椅子本体、１２，９１，９２…オットマン、１３…座部、１３ａ…着座面、１５…収納空間、１６，１９…支持枠、２０、６０…足保持部材、２１，３１，６１，７１…回動軸、２２，３２，６２，７２…マッサージ面、２２ｃ，３２ｃ，３２ｄ…エアバック、２２ｄ…施療子、２３，３３，６３，７３…脚置き面、２４ａ，２４ｂ，３４ａ，３４ｂ…回動停止部材、２５，３５，６５，７５…弾性部材、３０，７０…脚保持部材、４０…ロック機構、６６…突出部、７６…切欠き部。
【図１】
2013066506.tif 000003
【図２】
2013066506.tif 000004
【図３】
2013066506.tif 000005
【図４】
2013066506.tif 000006
【図５】
2013066506.tif 000007
【図６】
2013066506.tif 000008